(57)【特許請求の範囲】
【請求項１】
回転駆動される中間転写体と、
扁平顔料を含むトナーで形成されたトナー像を前記中間転写体に転写する第一トナー像形成部と、扁平顔料を含まないトナーで形成されたトナー像を前記中間転写体に転写する第二トナー像形成部と、を有する画像形成部と、
前記画像形成部で前記中間転写体に転写された前記トナー像を記録媒体に転写する転写部材と、
前記中間転写体における前記転写部材の下流側でかつ前記画像形成部の上流側に接触し、前記転写部材に印加される電圧と逆極性の電圧が印加される導電部材と、
前記第一トナー像形成部が前記中間転写体に像密度が１００％のトナー像を転写し、前記第二トナー像形成部が前記中間転写体にトナー像を転写しない第一画像単色モードでは、前記導電部材への電圧の印加を停止する制御手段と、
を備える画像形成装置。
【請求項２】
前記導電部材は、回転駆動される導電ブラシで構成され、
前記導電ブラシに接触する接触部材が備えられている、
請求項１に記載の画像形成装置。
【発明の詳細な説明】
【技術分野】
【０００１】
本発明は、画像形成装置に関する。
【背景技術】
【０００２】
特許文献１には、像担持体の表面に形成されたトナー像を転写材に転写する転写手段と、像担持体の表面にトナー像が形成された画像形成領域の周囲の画像制御用領域に画像制御に用いられる画像制御用トナー像が形成された場合に画像制御用トナー像の濃度を検出する検出手段と、転写手段を静電的にクリーニングする清掃手段と、を備える画像形成装置に関する技術が開示されている。この先行技術では、像担持体の画像制御用領域から転写された転写手段の表面の画像制御用トナー像が清掃手段を通過するときに、検出手段が検出した画像制御用トナー像の濃度に基づいて転写手段及び清掃手段の間に印加される清掃電圧又は清掃電流を変化させている。
【０００３】
特許文献２には、表面移動する被清掃体上のトナーを被清掃体上から除去するブラシローラと、該ブラシローラが被清掃体上のトナーを除去する位置に対して被清掃体表面移動方向上流側の該被清掃体の表面と対向する位置に、被清掃体上のトナーの極性を制御する極性制御部材と、該極性制御部材に電圧を印加する電圧印加手段とを備えたクリーニング装置に関する技術が開示されている。この先行技術では、電圧印加手段は、装置内の温度と湿度とを検知する温湿度検知手段の検知結果に基づいて該極性制御部材に印加する電圧を変更している。
【先行技術文献】
【特許文献】
【０００４】
【特許文献１】特開２０１２−０８３４７９号公報
【特許文献２】特開２００９−０９２９５５号公報
【発明の概要】
【発明が解決しようとする課題】
【０００５】
電圧が印加された導電部材を中間転写体に接触させて、中間転写体を除電する画像形成装置が知られている。
【０００６】
このような構成の画像形成装置では、導電部材に付着物が付着して導電部材が劣化すると、中間転写体と導電部材との間で放電が発生することがある。そして、このように放電が発生すると、扁平顔料を含むトナーで形成されたトナー像が中間転写体に転写される際に転写不良が発生し、画質が低下する場合がある。
【０００７】
本発明は、導電部材に印加する電圧が一定の場合と比較し、扁平顔料を含むトナーのみで形成されたトナー像が中間転写体に転写される際の転写不良を抑制することが目的である。
【課題を解決するための手段】
【０００８】
請求項１の発明は、回転駆動される中間転写体と、扁平顔料を含むトナーで形成されたトナー像を前記中間転写体に転写する第一トナー像形成部と、扁平顔料を含まないトナーで形成されたトナー像を前記中間転写体に転写する第二トナー像形成部と、を有する画像形成部と、前記画像形成部で前記中間転写体に転写された前記トナー像を記録媒体に転写する転写部材と、前記中間転写体における前記転写部材の下流側でかつ前記画像形成部の上流側に接触し、前記転写部材に印加される電圧と逆極性の電圧が印加される導電部材と、前記第一トナー像形成部が前記中間転写体に像密度が１００％のトナー像を転写し、前記第二トナー像形成部が前記中間転写体にトナー像を転写しない第一画像単色モードでは、前記導電部材への電圧の印加を停止する制御手段と、を備えている。
【０００９】
請求項２の発明は、前記導電部材は、回転駆動される導電ブラシで構成され、前記導電ブラシに接触する接触部材が備えられている。
【発明の効果】
【００１０】
請求項１に記載の発明によれば、導電部材に印加する電圧が一定の場合と比較し、扁平顔料を含むトナーのみで形成されたトナー像が中間転写体に転写される際の転写不良が抑制される。
【００１１】
請求項２に記載の発明によれば、接触部材が接触された状態で回転駆動される導電ブラシ以外の導電部材の場合と比較し、導電部材への付着物の付着が抑制される。
【図面の簡単な説明】
【００１２】
【図１】画像形成装置を示す概略構成である。
【図２】トナー像形成部を示す概略構成図である。
【図３】清掃装置を示す概略構成図である。
【図４】除電装置を示すブロック図である。
【図５】（Ａ）は扁平顔料の姿勢を模式的に示すトナー像の平面図であり、（Ｂ）は断面図である。
【図６】トナーに含まれる扁平顔料を模式的に示す（Ａ）は平面図であり、（Ｂ）は側面図である。
【発明を実施するための形態】
【００１３】
本発明の一実施形態に画像形成装置の一例について説明する。
＜画像形成装置の構成＞
図１は、画像形成装置１０を後述する感光体ドラム２１及び中間転写ベルト３１の回転軸方向から見た構成を示す概略図である。この図に示されるように、画像形成装置１０は、電子写真方式によりトナー像を形成して中間転写ベルト３１に転写する画像形成部１２と、記録媒体Ｐにトナー像を転写する転写装置３０と、記録媒体Ｐに転写されたトナー像を定着する定着装置４０と、記録媒体Ｐを搬送する搬送装置５０と、画像形成装置１０の各部の動作を制御する制御部７０と、各構成要素に電力を供給する電源部８０と、を含んで構成されている。
【００１４】
［搬送装置］
図１に示されるように、搬送装置５０は、記録媒体Ｐが収容される収容器５１と、収容器５１から後述する二次転写位置ＮＴへ記録媒体Ｐを搬送する複数の搬送ロール５２と、を有している。さらに、搬送装置５０は、二次転写位置ＮＴから定着装置４０へ記録媒体Ｐを搬送する複数の搬送ベルト５８と、定着装置４０から記録媒体Ｐの排出部（図示省略）へ向けて記録媒体Ｐを搬送する搬送ベルト５４と、を有している。
【００１５】
［画像形成部］
画像形成部１２は、トナー像を形成して中間転写ベルト３１に一次転写する複数のトナー像形成部２０を有している。
【００１６】
〔トナー像形成部２０〕
トナー像形成部２０は、色ごとにトナー像を形成し、中間転写ベルト３１に転写するように複数備えられている。本実施形態では、特別色（Ｖ）、イエロー（Ｙ）、マゼンタ（Ｍ）、シアン（Ｃ）及びブラック（Ｋ）の計５色のトナー像形成部２０が設けられている。なお、（Ｖ）、（Ｙ）、（Ｍ）、（Ｃ）、（Ｋ）は、上記各色に対応する構成部分を示している。また、本明細書の説明では、（Ｖ）、（Ｙ）、（Ｍ）、（Ｃ）、（Ｋ）の括弧を省略して、Ｖ、Ｙ、Ｍ、Ｃ、Ｋと記載する場合がある。また、これらを区別して説明しない場合は、Ｖ、Ｙ、Ｍ、Ｃ、Ｋを適宜省略する。
【００１７】
これら各色のトナー像形成部２０は、特別色（Ｖ）、イエロー（Ｙ）、マゼンタ（Ｍ）、シアン（Ｃ）及びブラック（Ｋ）の順で、後述の中間転写ベルト３１の搬送方向の上流側から下流側に向けて配置されている。なお、本実施形態では、特別色（Ｖ）には「銀色のトナー」を用いている。
【００１８】
各色のトナー像形成部２０は、用いるトナーを除き基本的に同様に構成されている。具体的には、各色のトナー像形成部２０は、図２に示されるように、この図２における時計周り方向に回転する感光体ドラム２１と、感光体ドラム２１を帯電させる帯電器２２と、一次転写ロール３３と、を有している。
【００１９】
さらに、各色のトナー像形成部２０は、帯電器２２によって帯電された感光体ドラム２１を露光して感光体ドラム２１に静電潜像を形成する露光装置２３と、露光装置２３によって感光体ドラム２１に形成された静電潜像を現像してトナー像を形成する現像装置２４と、感光体清掃装置２５と、除電装置２６と、を有している。
【００２０】
（現像装置）
図２に示すように、現像装置２４は、現像剤Ｇを収容する容器２４１と現像ロール２４２とを含んで構成されている。そして、現像ロール２４２に現像バイアス電圧を印加することによって、現像ロール２４２と感光体ドラム２１との間に生じる電位差により、感光体ドラム２１の外周面に形成された静電潜像がトナー像として顕像化される。
【００２１】
（感光体清掃装置）
感光体清掃装置２５は、トナー像の一次転写後に感光体ドラム２１の表面に残留したトナーを該感光体ドラム２１の表面から掻き取るブレード２５１を備えている。
【００２２】
［転写装置］
転写装置３０は、各色の感光体ドラム２１のトナー像を、中間転写ベルト３１（中間転写体の一例）に重畳して一次転写し、該重畳されたトナー像を二次転写位置ＮＴ（転写ニップの一例）で記録媒体Ｐに二次転写するように構成されている。
【００２３】
〔中間転写ベルト〕
本実施形態の中間転写体の一例としての中間転写ベルト３１は、体積抵抗が１０１０Ωｃｍ以上に設定されている。中間転写ベルト３１は、図１に示されるように、無端の環状を成し、複数のロール３２に巻き掛けられている。複数のロール３２のうち、ロール３２Ｄは、図示しないモータの動力により中間転写ベルト３１を矢印Ａ方向に周回させる駆動ロールとして機能する。
【００２４】
中間転写ベルト３１は、矢印Ａ方向に周回することで、各色の感光体ドラム２１のトナー像を各一次転写位置Ｔで一次転写された各色のトナー像が重畳されると共に、該重畳されたトナー像を二次転写位置ＮＴに搬送する。二次転写位置ＮＴに搬送されたトナー像は、二次転写装置３８によって記録媒体Ｐに二次転写される。
【００２５】
なお、複数のロール３２のうち、ロール３２Ｔは、中間転写ベルト３１に張力を付与する張力付与ロールとして機能する。複数のロール３２のうち、ロール３２Ｂは、後述する二次転写ロール３４の対向ロール３２Ｂとして機能する。
【００２６】
中間転写ベルト３１を清掃する清掃装置３５は、中間転写ベルト３１の周回方向（矢印Ａ方向）において、二次転写位置ＮＴの下流側で、かつ一次転写位置Ｔ（Ｖ）の上流側に配置されている。なお、清掃装置３５の詳しい説明は後述する。
【００２７】
〔一次転写ロール〕
各一次転写ロール３３は、各感光体ドラム２１のトナー像を中間転写ベルト３１に転写させるロールであり、中間転写ベルト３１の内側に配置されている。各一次転写ロール３３は、中間転写ベルト３１を挟んで対応する色の感光体ドラム２１に対して対向配置されている。また、各一次転写ロール３３にトナー極性とは逆極性の一次転写電圧が印加されることで、感光体ドラム２１に形成されたトナー像が、一次転写位置Ｔで中間転写ベルト３１に転写される。
【００２８】
〔二次転写装置〕
二次転写装置３８は、中間転写ベルト３１に重畳されたトナー像を記録媒体Ｐに転写する装置である。二次転写装置３８は、二次転写ベルト３７を有している。二次転写ベルト３７は、無端状をなし、二次転写ロール３４と、従動ロール３６と、に巻き掛けられている。
【００２９】
二次転写ロール３４は、前述した対向ロール３２Ｂとの間に中間転写ベルト３１及び二次転写ベルト３７を挟むように配置されており、二次転写ベルト３７と中間転写ベルト３１とは予め定められた荷重にて接触している。このように接触している二次転写ベルト３７と中間転写ベルト３１の間が二次転写位置ＮＴとされる。
【００３０】
この二次転写位置ＮＴには、収容器５１から適時に記録媒体Ｐが供給されるようになっている。二次転写ベルト３７は、二次転写ロール３４が回転駆動されることで、周回移動される。
【００３１】
本実施形態では、中間転写ベルト３１のトナー像を記録媒体Ｐに転写する際には、電源部８０によって、対向ロール３２Ｂに負極性の電圧が印加される。これにより、対向ロール３２Ｂと二次転写ロール３４との間に電位差が生じる。すなわち、対向ロール３２Ｂに負極性の電圧が印加されることで、対向ロール３２Ｂの対向電極をなす二次転写ロール３４にトナー極性と逆極性の二次転写電圧（正極性の電圧）が間接的に印加される。これにより、二次転写位置ＮＴを通過する記録媒体Ｐに、中間転写ベルト３１からトナー像が転写される。
【００３２】
［定着装置］
定着装置４０は、トナー像が転写された記録媒体Ｐにトナー像を定着させる。具体的には、定着装置４０は、加熱ロール４１と加圧ロール４２とで形成される定着ニップＮＦにおいて、トナー像を加熱しつつ加圧することで、トナー像を記録媒体Ｐに定着する構成とされている。
【００３３】
［画像形成動作］
つぎに、画像形成装置１０による記録媒体Ｐへの画像形成工程の概要を説明する。
【００３４】
図１に示す画像形成装置１０では、画像形成指令を受けた制御部７０は、トナー像形成部２０、二次転写装置３８及び定着装置４０を作動させる。また、これらの動作に同期して、制御部７０は、搬送装置５０等を作動させる。
【００３５】
各色の感光体ドラム２１は、回転されながら帯電器２２によって帯電される。また、制御部７０は、画像信号処理部で画像処理が施された画像データを、各露光装置２３に送る。各露光装置２３は、画像データに応じて各露光光Ｌ（図２参照）を出射して、帯電した各感光体ドラム２１に露光する。これにより、各感光体ドラム２１の外周面に静電潜像が形成される。各感光体ドラム２１に形成された静電潜像は、現像装置２４によって現像され、各色の感光体ドラム２１には、特別色（Ｖ）、イエロー（Ｙ）、マゼンタ（Ｍ）、シアン（Ｃ）及びブラック（Ｋ）のトナー像が形成される。
【００３６】
各色の感光体ドラム２１に形成された各色のトナー像は、各一次転写位置Ｔにおいて各色の一次転写ロール３３によって、周回する中間転写ベルト３１に順次一次転写される。これにより、中間転写ベルト３１には、トナー像が重畳された重畳トナー像が形成される。この重畳トナー像は、中間転写ベルト３１の周回によって二次転写位置ＮＴに搬送される。この二次転写位置ＮＴには、搬送ロール５２によって重畳トナー像の搬送にタイミングを合わせて記録媒体Ｐが供給される。そして、この二次転写位置ＮＴにおいて、中間転写ベルト３１から重畳トナー像が記録媒体Ｐに二次転写される。
【００３７】
重畳トナー像が二次転写された記録媒体Ｐは、搬送ベルト５８によって定着装置４０に向けて、負圧吸引されながら搬送される。定着装置４０は、定着ニップＮＦを通過する記録媒体Ｐに熱及び加圧力を付与する。これにより、記録媒体Ｐに転写された重畳トナー像が該記録媒体Ｐに定着される。
【００３８】
定着装置４０で重畳トナー像が定着された記録媒体Ｐは、搬送ベルト５４によって搬送され、排出部（図示省略）に排出される。
【００３９】
一方、二次転写位置されないで中間転写ベルト３１に残留した残留トナーは、清掃装置３５で清掃される。
【００４０】
また、中間転写ベルト３１は、清掃装置３５の除電装置３９の導電ブラシ３６０（図３を参照）によって除電される。なお、清掃装置３５の導電ブラシ３６０による中間転写ベルト３１の除電についての説明は後述する。
【００４１】
＜要部構成＞
つぎに、本実施形態の要部構成について説明する。
【００４２】
（トナー）
特別色（Ｖ）として用いられる銀色のトナーは、図５に示されるように、扁平顔料の一例としての金属顔料１１０とバインダー樹脂１１１とを含んで構成されおり、画像に金属光沢感を付与する場合に用いられる。
【００４３】
銀色のトナーは、図５（Ｂ）に示されるように、金属顔料１１０の反射面１１０Ａが紙面ＰＡに対して直交する方向を向くと共に紙面ＰＡに沿った方向に並ぶ、すなわち、金属顔料１１０の反射面１１０Ａが記録媒体Ｐの紙面ＰＡに沿うような姿勢となることで、画像１００から反射する反射光の方向が記録媒体Ｐの紙面ＰＡに対して直交する方向に近づく。
【００４４】
これにより、金属光沢感を示す指数であるフロップインデックス値（ＦＩ値：Ｆｌｏｐ Ｉｎｄｅｘ値）が向上する（金属光沢感が向上する）。
【００４５】
なお、金属光沢感が付与された画像とは、銀色のトナー及び銀色以外の色のトナーを用いて形成される画像と、銀色のトナーだけを用いて形成される画像と、の両方である。なお、後述するように、銀色のトナーだけを用いて画像形成するモードを「銀色単色モード」とする。
【００４６】
金属顔料１１０は、アルミニウムから構成されている。そして、金属顔料１１０を平面に置いて側方から見ると、金属顔料１１０は、図６（Ｂ）に示されるように、図中左右方向の寸法が図中上下方向の寸法に対して長くなる形状とされている。
【００４７】
さらに、金属顔料１１０を図中上方から見ると、金属顔料１１０は、図６（Ａ）に示されるように、側方から見た形状に対して広がった形状とされ、金属顔料１１０は、金属顔料１１０を平面に置いた状態（図６（Ｂ）参照）で、上方又は下方を向く一対の反射面１１０Ａ（扁平面）を有している。このように、金属顔料１１０は、扁平形状とされている。
【００４８】
一方、図示は省略するが、イエロー（Ｙ）、マゼンタ（Ｍ）、シアン（Ｃ）、及びブラック（Ｋ）として用いられる銀色以外の他の色のトナー（他の色のトナー）は、扁平顔料以外の顔料（例えば、有機顔料や無機顔料）とバインダー樹脂とを含んで構成されている。
【００４９】
（清掃装置）
つぎに、中間転写ベルト３１に残留した残留トナーを清掃する清掃装置３５について説明する。
【００５０】
図３に示すように、清掃装置３５は、除電装置３９と、ベルトクリーニングブレード３５２と、ベルトクリーニングスクレーパー３５０と、搬送部材３５４とを有している。
【００５１】
ベルトクリーニングブレード３５２及びベルトクリーニングスクレーパー３５０は、それぞれロール３２Ｄ及び対向ロール３５３との間に中間転写ベルト３１を挟むように配置されている。そして、ベルトクリーニングブレード３５２によって中間転写ベルト３１の残留トナーを除去し、ベルトクリーニングスクレーパー３５０によって中間転写ベルト３１に付着した放電生成物を除去する。
【００５２】
除電装置３９は、導電部材の一例としての導電ブラシ３６０と、接触部材の一例としての板状のフリッカー３５８と、を有している。
【００５３】
導電ブラシ３６０は、金属製の軸部３６２と導電繊維で構成されたブラシ部３６４とを有する構成とされている。導電ブラシ３６０は、図示していない駆動機構によって矢印Ｒ方向に回転駆動される。また、導電ブラシ３６０は、対向ロール３６３との間に中間転写ベルト３１を挟むように配置されている。
【００５４】
フリッカー３５８は、回転駆動される導電ブラシ３６０のブラシ部３６４に接触するように配置されている。そして、このように、フリッカー３５８が、回転駆動される導電ブラシ３６０のブラシ部３６４に接触することで、ブラシ部３６４の各繊維に付着したトナーが掻き落とされる。
【００５５】
また、図４に示すように、導電ブラシ３６０は、電源部８０よって負極性（二次転写電圧（正極性の電圧）と逆極性）の電圧が印加されている。
【００５６】
（清掃装置の除電装置の制御）
制御部７０は、電源部８０を制御し、画像形成中に導電ブラシ３６０（のブラシ部３６４）に負極性の電圧を印加する。なお、導電ブラシ３６０に印加する電圧値は、後述するハーフトーン画像における画質不良（中間転写ベルトゴースト）が発生しない値に適宜設定されている。
【００５７】
しかし、特別色（Ｖ）である銀色のトナー像形成部２０Ｖでトナー像を形成して中間転写ベルト３１に転写し、他のトナー像形成部２０Ｙ、トナー像形成部２０Ｍ、トナー像形成部２０Ｃ及びトナー像形成部２０Ｋではトナー像を形成することなく、また一次転写ロール３３Ｙ、３３Ｍ、３３Ｃ、３３Ｋに電圧を印加していない銀色単色モード（第一画像単色モードの一例）では、制御部７０は、電源部８０を制御し、導電ブラシ３６０への電圧の印加を停止する。この「銀色単色モード」では、銀色画像は像密度が１００％又は略１００％の所謂銀色ベタ画像である。
【００５８】
＜作用＞
つぎに、本実施形態の作用について説明する。
【００５９】
中間転写ベルト３１は体積抵抗率が１０１０Ωｃｍ以上の高抵抗である。よって、中間転写ベルト３１におけるトナー像が記録媒体Ｐに転写された後の画像部（トナー像が一次転写された部位）と非画像部（トナー像が一次転写されていない部位）とで二次転写後の残留電荷に差が生じる。この残留電荷の差によって、次に形成するハーフトーン画像に画質不良（中間転写ベルトゴースト）が発生することがある。
【００６０】
しかし、前述したように、本実施形態では、画像形成中に導電ブラシ３６０に負極性の電圧を印加することで、中間転写ベルト３１の残留電荷が除電される。よって、画像部と非画像部との残留電荷の差が抑制され、この結果、画像部と非画像部との残留電荷差に起因するハーフトーン画像の画質不良（中間転写ベルトゴースト）が抑制される。
【００６１】
ここで、導電ブラシ３６０のブラシ部３６４は、経時変化によって劣化する。具体的には、トナー中のシリカ粒子等の外添剤がブラシ部３６４の繊維に付着し（フィルミングし）、高抵抗化する。これにより、中間転写ベルト３１と導電ブラシ３６０のブラシ部３６４との間で放電が発生することがある。そして、この放電によって中間転写ベルト３１に除電ムラが生じる。
【００６２】
このような中間転写ベルト３１と導電ブラシ３６０のブラシ部３６４との間で放電が発生し、除電ムラが発生しても、前述した銀色単色モード以外のモードでは、画質に影響を与えることはない。或いは、画質に影響を与えたとしてもその影響は小さい。
【００６３】
しかし、銀色単色モードでは、中間転写ベルト３１と導電ブラシ３６０のブラシ部３６４との間の放電による除電ムラによって、幅（軸方向幅）０．１ｍｍ〜０．１５ｍｍ、長さ（搬送方向長さ）０．２ｍｍ〜１．５ｍｍのスクラッチ状の白抜けが、銀色画像全面に発生することがある。この白抜けは、連続で画像形成した場合の６枚目の記録媒体Ｐ（Ａ４サイズ縦送りの場合）の中間転写ベルト３１の一周分で顕著に発生する。また、湿度１５％以下の低湿環境で顕著に発生する。そして、このような白抜けによって、銀色画像の金属光沢感を示す指数であるフロップインデックス値（ＦＩ値：Ｆｌｏｐ Ｉｎｄｅｘ値）が低下する（金属光沢感が低下する）。
【００６４】
そこで、本実施形態では、前述したように、制御部７０は、銀色単色モードでは、電源部８０を制御し、導電ブラシ３６０への電圧の印加を停止する。よって、中間転写ベルト３１と導電ブラシ３６０のブラシ部３６４との間で放電しないので、除電ムラが発生しない。したがって、スクラッチ状の白抜けが発生しない。また、白抜けによるフロップインデックス値（ＦＩ値：Ｆｌｏｐ Ｉｎｄｅｘ値）の低下も発生しない。
【００６５】
なお、前述したように、銀色単色モードでの銀色画像の像密度は、１００％又は略１００％の所謂銀色ベタ画像である。よって、導電ブラシ３６０への電圧の印加を停止しても、画像部と非画像部との残留電荷の差による画質不良（中間転写ベルトゴースト）は視認されない。
【００６６】
また、本実施形態では、回転駆動される導電ブラシ３６０のブラシ部３６４にフリッカー３５８が接触することで、導電ブラシ３６０のブラシ部３６４に付着したトナーが掻き落とされる。よって、トナー中のシリカ粒子等の外添剤のブラシ部３６４の繊維への付着が抑制される。したがって、例えば、シート状の導電部材を中間転写ベルト３１に接触させる構成と比較し、導電ブラシ３６０（導電部材）の劣化速度が低下する。
【００６７】
＜その他＞
尚、本発明は、上記実施形態に限定されない。
【００６８】
また、上記実施形態では、回転駆動される導電ブラシ３６０で中間転写ベルト３１を除電したが、これに限定されない。例えば、シート状の導電部材やロール状の導電部材で中間転写ベルト３１を除電してもよい。
【００６９】
また、上記実施形態では、特別色（Ｖ）としての金属顔料１１０を含むトナーは、銀色トナーを用いたが、これに限られず、例えば、金色のトナーを用いてもよい。金色のトナーは、例えば、金属顔料１１０とイエロー色の顔料とバインダー樹脂とを含んで構成される。或いは、特別色（Ｖ）は、金属顔料１１０以外の扁平顔料を含むトナーであってもよい。
【００７０】
また、画像形成装置の構成としては、上記実施形態の構成に限られず種々の構成とすることが可能である。例えば、中間転写ベルトでなく、中間転写ロールであってもよい。更に、本発明の要旨を逸脱しない範囲において、種々なる態様で実施し得ることは言うまでもない。
【符号の説明】
【００７１】
１０      画像形成装置
１３      画像形成部
２０Ｖ    トナー像形成部（第一トナー像形成部の一例）
２０Ｙ    トナー像形成部（第二トナー像形成部の一例）
２０Ｍ    トナー像形成部（第二トナー像形成部の一例）
２０Ｃ    トナー像形成部（第二トナー像形成部の一例）
２０Ｋ    トナー像形成部（第二トナー像形成部の一例）
３１      中間転写ベルト（中間転写体の一例）
３４      二次転写ロール（転写部材の一例）
３９      除電装置
７０      制御装置（制御手段の一例）
８０      電源部（電圧印加手段の一例）
３６０      導電性ブラシ（導電部材の一例）
３５８      フリッカー（接触部材の一例）
【図１】
0006256386.tif 000002
【図２】
0006256386.tif 000003
【図３】
0006256386.tif 000004
【図４】
0006256386.tif 000005
【図５】
0006256386.tif 000006
【図６】
0006256386.tif 000007